(57)【要約】【課題】天板において機能部品の上方に位置する部分の剛性をより高くする。【解決手段】貯蔵室２０Ａを有する断熱箱体２０と、断熱箱体２０に対して水平方向において隣接する形で配される電装箱３０と、断熱箱体２０及び電装箱３０を上方から覆う形で配され、天面４０Ａを構成する天板４０と、を備え、断熱箱体２０は、断熱箱体２０を構成する外装板２１の少なくとも一部であるボックスパネル５０を備え、ボックスパネル５０は、電装箱３０と隣接して配される壁部５１と、壁部５１の上部に設けられ、電装箱３０の上方まで延びて配されると共に天板４０を下方から支持する支持部５２と、を備え、支持部５２は、断熱箱体２０の内側に開口された空隙５３を有すると共に、空隙５３には断熱箱体２０を構成する断熱材２３の一部が充填されていることに特徴を有する。【選択図】図６
2019190734.tif 000002
【特許請求の範囲】
【請求項１】
貯蔵室を有する断熱箱体と、
前記断熱箱体に対して水平方向において隣接する形で配される機能部品と、
前記断熱箱体及び前記機能部品を上方から覆う形で配され、天面を構成する天板と、を備え、
前記断熱箱体は、当該断熱箱体を構成する外装板の少なくとも一部であるパネル部材を備え、
前記パネル部材は、
前記機能部品と隣接して配される壁部と、
前記壁部の上部に設けられ、前記機能部品の上方まで延びて配されると共に前記天板を下方から支持する支持部と、を備え、
前記支持部は、前記断熱箱体の内側に開口された空隙を有すると共に、前記空隙には前記断熱箱体を構成する断熱材の一部が充填されている冷却貯蔵庫。
【請求項２】
前記断熱箱体は、冷却器が収容される冷却器室を有し、
前記パネル部材は、前記冷却器室を構成する壁部と間隔を空けて対向配置されており、
前記パネル部材と前記冷却器室を構成する前記壁部との間には、前記断熱箱体を構成する断熱材の一部が充填されている請求項１に記載の冷却貯蔵庫。
【発明の詳細な説明】
【技術分野】
【０００１】
本発明は、冷却貯蔵庫に関する。
【背景技術】
【０００２】
従来、冷却貯蔵庫として、断熱箱体と、電装箱等の機能部品と、断熱箱体及び機能部品を上方から覆う形で配される天板と、を備えるものが知られている（下記特許文献１）。
【先行技術文献】
【特許文献】
【０００３】
【特許文献１】特開平０９−２７３８５８号公報
【発明の概要】
【発明が解決しようとする課題】
【０００４】
冷却貯蔵庫の天板は、調理台として使用されたり、調理機器などが載置されたりすることが想定され、高い剛性が求められる。断熱箱体は、その内部に断熱材が充填されており、剛性が比較的高いものとされる。このため、天板において断熱箱体で支持される部分は剛性を十分に確保することができる。これに対して、天板において機能部品の上方に位置する部分は、断熱箱体で直接的に支持することができず、専用の支持部材が必要となる。特許文献１では、このような支持部材として、断熱箱体の側面に対して片持ち状に固定された支持部材が例示されている。しかしながら、このような支持部材によって支持される部分は、断熱箱体によって直接的に支持される部分と比べて剛性が低くなってしまうことから改善の余地があった。
【０００５】
本発明は上記のような事情に基づいて完成されたものであって、天板において機能部品の上方に位置する部分の剛性をより高くすることを目的とする。
【課題を解決するための手段】
【０００６】
上記課題を解決するために、本発明の冷却貯蔵庫は、貯蔵室を有する断熱箱体と、前記断熱箱体に対して水平方向において隣接する形で配される機能部品と、前記断熱箱体及び前記機能部品を上方から覆う形で配され、天面を構成する天板と、を備え、前記断熱箱体は、当該断熱箱体を構成する外装板の少なくとも一部であるパネル部材を備え、前記パネル部材は、前記機能部品と隣接して配される壁部と、前記壁部の上部に設けられ、前記機能部品の上方まで延びて配されると共に前記天板を下方から支持する支持部と、を備え、前記支持部は、前記断熱箱体の内側に開口された空隙を有すると共に、前記空隙には前記断熱箱体を構成する断熱材の一部が充填されていることに特徴を有する。
【０００７】
上記構成によれば、支持部によって、天板において機能部品の上方に配される部分を下方から支持することができる。支持部は空隙を有し、その空隙には断熱箱体を構成する断熱材の一部が充填されているため、支持部の剛性をより高くすることができる。このような支持部によって天板を支持することで、天板において機能部品の上方に位置する部分の剛性をより高くすることができる。また、パネル部材は、断熱箱体を構成する部品であるため、部品点数を増加させることなく、天板の剛性を高くすることができる。さらに、空隙は断熱箱体の内側に開口されているため、断熱箱体を製造する際に空隙に断熱材を充填させることができる。
【０００８】
また、前記断熱箱体は、冷却器が収容される冷却器室を有し、前記パネル部材は、前記冷却器室を構成する壁部と間隔を空けて対向配置されており、前記パネル部材と前記冷却器室を構成する前記壁部との間には、前記断熱箱体を構成する断熱材の一部が充填されているものとすることができる。パネル部材を冷却器室を構成する壁部と一体的に設けることができ、パネル部材の剛性をより高くすることができる。
【発明の効果】
【０００９】
本発明によれば、天板において機能部品の上方に位置する部分の剛性をより高くすることができる。
【図面の簡単な説明】
【００１０】
【図１】本発明の一実施形態に係る冷却貯蔵庫の斜視図
【図２】冷却貯蔵庫の内部構造を示す断面図（正面側から視た図）
【図３】断熱箱体を示す正面図
【図４】機械室及び冷却器室を示す斜視図
【図５】ボックスパネルから電装箱を取り外した状態を示す斜視図
【図６】機械室及び冷却器室を示す断面図
【図７】図６においてボックスパネルの支持部付近の拡大図
【図８】ボックスパネルを示す斜視図（表側から視た図）
【図９】ボックスパネルを示す斜視図（裏側から視た図）
【図１０】ボックスパネルを示す断面図（図３のＸ−Ｘ線で切断した図に対応）
【発明を実施するための形態】
【００１１】
本発明の一実施形態を図１から図１０によって説明する。本実施形態では、図１に示すように、冷却貯蔵庫１０として、２ドア式の横型（テーブル型）冷蔵庫を例示する。本実施形態の冷却貯蔵庫１０は、図１に示すように、横長の箱体である断熱箱体２０と、断熱箱体２０の側方（左側）に配される機械室１１と、を備える。断熱箱体２０は、図２に示すように、外装板２１と内装板２２の間に発泡樹脂等の断熱材２３が充填されることで構成されている。断熱箱体２０は、貯蔵室２０Ａと冷却器室２０Ｂとを有する。
【００１２】
貯蔵室２０Ａは、図３に示すように、前方に開口された開口部２０Ｄを有している。開口部２０Ｄは、観音開き式の一対の断熱扉１２，１２（図１参照）によって開閉可能な構成となっている。図２に示すように、貯蔵室２０Ａと冷却器室２０Ｂとは吹出ダクト２４及び吸込ダクト２５によって仕切られている。冷却器室２０Ｂには冷却器２６と冷却ファン２７が収容されている。また、冷却器２６の下方には、ドレンパン２９が配されている。
【００１３】
機械室１１には、圧縮機１３と、凝縮器１４（図６参照）と、凝縮器ファン１４Ａとを備える冷却ユニット１５が収容されている。圧縮機１３及び凝縮器１４は、図示しない冷媒管によって冷却器２６と接続されており、公知の冷却サイクルを構成するものとされる。本実施形態において、冷却運転は、圧縮機１３及び冷却ファン２７が駆動されることで行われる。冷却ファン２７が駆動すると、貯蔵室２０Ａ内の空気が吸込ダクト２５の吸込口から冷却器室２０Ｂ内に吸引されて冷却器室２０Ｂに向かい、冷却器２６を通過する過程で冷やされることで冷気となり、その後、吹出ダクト２４の吹出口から貯蔵室２０Ａに吹き出される。このような冷気が循環供給されることで貯蔵室２０Ａ内が冷却される。図１に示すように、冷却貯蔵庫１０は、左側の側面を構成するサイドパネル１７を備え、機械室１１は、断熱箱体２０とサイドパネル１７との間に形成されている。
【００１４】
図３に示すように、断熱箱体２０は、貯蔵室２０Ａを構成する箱部３５と、箱部３５の左側に配される箱部２１Ａと、を備える。箱部２１Ａは、断熱箱体２０を構成する外装板２１の一部によって構成されている。箱部２１Ａの内部には、図４に示すように、冷却器室２０Ｂを主に構成する箱部２８が収容されている。箱部２１Ａの内面と箱部２８の外面の間には隙間Ｓ１が設けられ、その隙間Ｓ１には、図６に示すように、断熱箱体２０を構成する断熱材２３の一部が充填されている。断熱箱体２０の外装板２１は、複数枚のパネル部材によって構成されており、箱部２１Ａの前面は、図３に示すように、ボックスパネル５０（外装板２１の一部）によって構成されている。図４に示すように、ボックスパネル５０は、箱部２８の前壁部２８Ａ（冷却器室を構成する壁部）を前方から覆う形で配されている。ボックスパネル５０は、前壁部２８Ａとの間に間隔（上述した隙間Ｓ１の一部）を空けて対向配置されており、ボックスパネル５０と前壁部２８Ａの間には、図６に示すように、断熱材２３の一部が充填されている。
【００１５】
ボックスパネル５０の前方（図６では右側）には、機械室１１を構成するフロントパネル１６が配されている。ボックスパネル５０とフロントパネル１６の間には、電装箱３０を収容するための収容空間Ｓ２が設けられている。つまり、電装箱３０（機能部品）は、断熱箱体２０を構成するボックスパネル５０に対して前後方向（水平方向）において隣接する形で配されている。電装箱３０は、図５に示すように、上下方向に長い形状をなしており、その内部には、例えば、冷却貯蔵庫１０が備える各機器を制御するための制御回路が収容されている。
【００１６】
また、冷却貯蔵庫１０は、図１に示すように、冷却貯蔵庫１０の天面４０Ａを構成する天板４０を備える。天板４０は、平面視において左右方向に長い長方形状をなし、断熱箱体２０及び電装箱３０を上方から覆う構成となっている。天板４０は、図７に示すように、主に断熱箱体２０の上面を構成するトップパネル３１（外装板２１の一部）によって支持されている。
【００１７】
ボックスパネル５０は、図８に示すように、上下方向に長い壁部５１と、壁部５１の上部に設けられた支持部５２と、を備える。壁部５１は、図１０に示すように、電装箱３０と前後方向（図１０の左右方向）について隣接して配されている。支持部５２は、壁部５１の上端から前方に突出されており、電装箱３０の上方まで延びる形で配されている。なお、外装板２１と内装板２２は、主に金属製（ステンレス鋼板等）とされるが、ボックスパネル５０は例えば、合成樹脂製とされる。壁部５１の下部には、図８に示すように、取付孔５１Ａが形成されている。図１０に示すように、電装箱３０は、Ｌ字状のブラケット５６を介して壁部５１に固定されており、取付孔５１Ａには、ブラケット５６を壁部５１に固定するためのねじ（図示せず）が挿入されている。また、壁部５１の上端部には、図３に示すように、左右方向に延びる突条部５７が形成されている。この突条部５７には、図１０に示すように、電装箱３０が有する係止部３０Ａが上方から係止する構成となっている。
【００１８】
また、図８に示すように、壁部５１において上下方向の中央付近には、左右方向に延びる溝部５８が形成されている。溝部５８には、図５に示すように、電装箱３０に接続された配線６０が挿通されている。壁部５１において、溝部５８の左右両端部に対応する箇所には、一対の保持片５９，５９が設けられている。本実施形態では、配線６０の一部を溝部５８内に収めた後、前方から電装箱３０を壁部５１に取り付ける。一対の保持片５９，５９は、電装箱３０を壁部５１に取り付ける際に、配線６０の一部を溝部５８内で仮保持するためのものである。また、壁部５１において、溝部５８の右側には、前後方向に貫通する貫通孔５１Ｂが形成されている。配線６０は、貫通孔５１Ｂを通じて壁部５１の裏側から表側に引き出されている。なお、配線６０は、断熱箱体２０内部に配された電気機器（例えば、温度センサなど）に接続されているが、これに限定されない。
【００１９】
図９に示すように、支持部５２は、後側（断熱箱体２０の内側）に開口された空隙５３を有する略箱状をなしている。支持部５２は、上壁部５４を有しており、上壁部５４には、図７に示すように、トップパネル３１が載置されている。つまり、上壁部５４は、トップパネル３１を介して天板４０を下方から支持する構成となっている。支持部５２の空隙５３には断熱箱体２０を構成する断熱材２３の一部が充填されている。これにより、ボックスパネル５０は、断熱箱体２０を構成する他のパネル部材と一体的に形成されている。なお、上壁部５４と天板４０の間にトップパネル３１が配されておらず、上壁部５４が天板４０に対して当接する構成であってもよい。
【００２０】
また、トップパネル３１の前端部は、後方（図７の左側）に折り返された折返部３２を有している。支持部５２の前壁部５５には、図８に示すように、取付孔５５Ａが形成されており、取付孔５５Ａには、折返部３２を前壁部５５に固定するためのねじ３３（図７参照）が挿入されている。また、支持部５２の前壁部５５には、取付孔５５Ｂが形成されており、取付孔５５Ｂには、フロントパネル１６の上端部１６Ａを前壁部５５に固定するためのねじ３４が挿入されている。
【００２１】
また、支持部５２は、図８に示すように、上下方向に貫通されると共に前方に開口された貫通孔５２Ａを有している。貫通孔５２Ａには、図１に示すように、電装箱３０に接続される配線６１が挿通されている。この配線６１は、断熱箱体２０内部に配された各電気機器（例えば庫内灯、冷却ファン２７、庫内ヒータなど）に接続されているが、これに限定されない。
【００２２】
次に本実施形態の効果について説明する。本実施形態によれば、支持部５２によって、天板４０において電装箱３０の上方に配される部分を下方から支持することができる。支持部５２は空隙５３を有し、その空隙５３には断熱箱体２０を構成する断熱材２３の一部が充填されているため、支持部５２の剛性をより高くすることができる。このような支持部５２によって天板４０を支持することで、天板４０において電装箱３０の上方に位置する部分の剛性をより高くすることができる。また、ボックスパネル５０は、断熱箱体２０を構成する部品であるため、部品点数を増加させることなく、天板４０の剛性を高くすることができる。また、空隙５３は断熱箱体２０の内側に開口されているため、断熱箱体２０を製造する際に空隙５３に断熱材２３を充填させることができる。
【００２３】
また、断熱箱体２０は、冷却器２６が収容される冷却器室２０Ｂを有し、ボックスパネル５０は、冷却器室２０Ｂを構成する前壁部２８Ａと間隔を空けて対向配置されており、ボックスパネル５０と前壁部２８Ａの間には、断熱箱体２０を構成する断熱材２３の一部が充填されている。ボックスパネル５０を前壁部２８Ａと一体的に設けることができ、ボックスパネル５０の剛性をより高くすることができる。
【００２４】
本実施形態によれば、トップパネル３１の前端部が支持部５２によって補強されているため、天板４０の前端部に人が手を置いたりしてトップパネル３１の前端部に荷重が作用した場合に、天板４０の変形を抑制することができる。特に、ボックスパネル５０は断熱箱体２０を構成する他のパネル部材と一体的に形成されているため、天板４０の前端部に作用した荷重を断熱箱体２０全体で受ける構造となり、天板４０の前端部に大きな荷重が作用した場合であっても天板４０の変形を抑制することができる。
【００２５】
＜他の実施形態＞
本発明は上記記述及び図面によって説明した実施形態に限定されるものではなく、例えば次のような実施形態も本発明の技術的範囲に含まれる。
（１）上記実施形態では冷却貯蔵庫として冷蔵庫を例示したが、これに限定されず、冷却貯蔵庫として、冷凍庫や恒温高湿庫などを例示することができる。
（２）上記実施形態では機能部品として、電装箱３０を例示したが、これに限定されない。機能部品として、冷却貯蔵庫に係る操作や設定等を行うためのオペレーションボックスを例示することができる。
（３）上記実施形態では、パネル部材として、箱部２１Ａの前面を構成するボックスパネル５０を例示したが、これに限定されない。例えば、パネル部材が箱部２１Ａの側面を構成するものであってもよい。
【符号の説明】
【００２６】
１０…冷却貯蔵庫、２０…断熱箱体、２０Ａ…貯蔵室、２０Ｂ…冷却器室、２１…外装板、２３…断熱材、２６…冷却器、２８Ａ…前壁部（冷却器室を構成する壁部）、３０…電装箱（機能部品）、４０…天板、４０Ａ…天面、５０…ボックスパネル（パネル部材）、５１…壁部、５２…支持部、５３…空隙
【図１】
2019190734.tif 000003
【図２】
2019190734.tif 000004
【図３】
2019190734.tif 000005
【図４】
2019190734.tif 000006
【図５】
2019190734.tif 000007
【図６】
2019190734.tif 000008
【図７】
2019190734.tif 000009
【図８】
2019190734.tif 000010
【図９】
2019190734.tif 000011
【図１０】
2019190734.tif 000012